(57)【要約】      （修正有）【課題】緊急時用携帯ブザーを肌身離さずに携帯することができ、且ついざという時に警報音を発生させることができるＳＯＳショルダーを提供する。【解決手段】引っ張り部を引っ張ることにより警報音が発生する緊急時用携帯ブザーが収容される袋体１８と、前記袋体１８の上端部に取り付けられ、一方の肩から他方の腰の部分にかけて斜めに襷掛けされる長さを有する環状の紐体２０と、前記袋体１８の一部に開口された袋体孔部２２と、を有し、前記緊急時用携帯ブザーの引っ張り部が前記袋体孔部２２から突出するように前記緊急時用携帯ブザーを前記袋体１８に収容せしめ、前記環状の紐体２０を襷掛けし、緊急時に前記引っ張り部を引っ張ることで、警報音が発生するようにした。【選択図】図１
0003152544.tif 000002
【実用新案登録請求の範囲】
【請求項１】
引っ張り部を引っ張ることにより警報音が発生する緊急時用携帯ブザーが収容される袋体と、前記袋体の上端部に取り付けられ、一方の肩から他方の腰の部分にかけて斜めに襷掛けされる長さを有する環状の紐体と、前記袋体の一部に開口された袋体孔部と、を有し、前記緊急時用携帯ブザーの引っ張り部が前記袋体孔部から突出するように前記緊急時用携帯ブザーを前記袋体に収容せしめ、前記環状の紐体を襷掛けし、緊急時に前記引っ張り部を引っ張ることで、警報音が発生するようにしたことを特徴とするＳＯＳショルダー。
【請求項２】
前記緊急時用携帯ブザーの引っ張り部に着脱自在に取り付け可能であり、前記袋体孔部を通り抜け不能なサイズの引っ張り部サポート部材をさらに有し、前記緊急時用携帯ブザーの引っ張り部が前記袋体孔部から突出するように前記緊急時用携帯ブザーを前記袋体に収容せしめ、前記引っ張り部に前記引っ張り部サポート部材を取り付けることで、前記引っ張り部が引っ張り容易にされてなることを特徴とする請求項１記載のＳＯＳショルダー。
【請求項３】
前記引っ張り部サポート部材が、前記袋体に着脱自在に取り付けられてなることを特徴とする請求項１又は２記載のＳＯＳショルダー。
【請求項４】
前記引っ張り部が、引き抜き可能な作動ピンであることを特徴とする請求項１〜３いずれか１項記載のＳＯＳショルダー。
【請求項５】
前記袋体孔部が、前記袋体の底部に開口されてなることを特徴とする請求項１〜４いずれか１項記載のＳＯＳショルダー。
【考案の詳細な説明】
【技術分野】
【０００１】
本考案は、緊急時用携帯ブザーを携帯するためのショルダーに関する。
に関する。
【背景技術】
【０００２】
従来、緊急時用の携帯ブザーとしては、種々の携帯ブザーが知られているが、例えば防犯ブザーがある。
【０００３】
防犯ブザーは、緊急時などに作動ピンを引っ張って引き抜くことなどにより、警報音が発生するものである。
【０００４】
この防犯ブザーは、特に女性や子供などが携帯することが多く、いざという時に必要となるものであるが、日常生活において必要となることはほとんどないため、実際には、鞄などの奥の方に入り込んでしまっていて、いざという時にはすぐに取り出せない場合が多い。
【０００５】
そこで、防犯ブザーをすぐに取り出せるように鞄などの外側に取りつけるという手もあるが（特許文献１）、持ち歩く鞄ごとに付け替える必要などが生じる。
【０００６】
また、防犯ブザーを外出用の鞄などに取り付けておくのでは、鞄を持ち歩かないときには防犯ブザーも持ち歩かないことになる。
【０００７】
近年では、タクシー運転手が事件に巻き込まれるケースが増加しており、タクシー運転手への防犯対策として、防犯ブザーを持ち歩くことが考えられるが、ポケットなどに入れておいたのでは、いざという時にすぐに取り出せないおそれがある。
【０００８】
電車などの乗り物に乗っていても事件に巻き込まれるケースがあるが、やはり、いざという時に防犯ブザーをすぐに取り出すのはなかなか難しい。
【０００９】
さらに、治安の悪い国などへ海外旅行に行く際には、用心のために防犯ブザーを持ち歩く場合があるが、鞄などに入れておいたのでは、やはり、いざという時にはすぐに取り出せないおそれがある。
【００１０】
一方、病院の病室には、いわゆるナースコールと呼ばれる呼び出しブザーがあり、また病院のトイレにも、緊急時用の呼び出しブザーなどが備え付けられている。
【００１１】
しかしながら、病院で患者がトイレに行こうとすると、病室からトイレに行く途中には呼び出しブザーがないことになるので、病室からトイレに行くまでに容態が急変した場合などの緊急時には自分で助けを呼ぶなどする必要があるが、患者自身で声を出して助けを呼ぶのは大変である。
【００１２】
病院で患者が散歩をする場合にも同様であり、やはり散歩の途中にも呼び出しブザーがないことになるので、散歩の途中に容態が急変した場合などの緊急時には自分で助けを呼ぶなどする必要があるが、患者自身で声を出して助けを呼ぶのは大変である。
【００１３】
自宅や介護所などで介護を受けている要介護者についても同様のことが言える。何かあった場合には、自分で助けを呼ぶなどする必要があるが、自身で声を出して助けを呼ぶのは大変である。
【先行技術文献】
【特許文献】
【００１４】
【特許文献１】特許３１０８５８９号
【考案の概要】
【考案が解決しようとする課題】
【００１５】
本考案は、上記した問題点に鑑みなされたもので、緊急時用携帯ブザーを肌身離さずに携帯することができ、且ついざという時に引っ張り部をすぐに引っ張ることができるようにしたＳＯＳショルダーを提供することを目的とする。
【課題を解決するための手段】
【００１６】
上記の目的を達成する為に、本考案に係るＳＯＳショルダーは、引っ張り部を引っ張ることにより警報音が発生する緊急時用携帯ブザーが収容される袋体と、前記袋体の上端部に取り付けられ、一方の肩から他方の腰の部分にかけて斜めに襷掛けされる長さを有する環状の紐体と、前記袋体の一部に開口された袋体孔部と、を有し、前記緊急時用携帯ブザーの引っ張り部が前記袋体孔部から突出するように前記緊急時用携帯ブザーを前記袋体に収容せしめ、前記環状の紐体を襷掛けし、緊急時に前記引っ張り部を引っ張ることで、警報音が発生するようにしたことを特徴とする。
【００１７】
なお、本願明細書において、ショルダーとは、肩掛けを意味する。また、本考案のＳＯＳショルダーは、襷掛けするので、前記袋体のサイズは前記緊急時用携帯ブザーが入るサイズであればよい。あまり袋体のサイズが大きいと、常に襷掛けしているのが邪魔になるため、あまり袋体のサイズは大きくしないのが好ましい。例えば、緊急時用携帯ブザーが入る程度の小型のポシェット程度の大きさが好ましい。
【００１８】
また、前記緊急時用携帯ブザーの引っ張り部に着脱自在に取り付け可能であり、前記袋体孔部を通り抜け不能なサイズの引っ張り部サポート部材をさらに有し、前記緊急時用携帯ブザーの引っ張り部が前記袋体孔部から突出するように前記緊急時用携帯ブザーを前記袋体に収容せしめ、前記引っ張り部に前記引っ張り部サポート部材を取り付けることで、前記引っ張り部が引っ張り容易に構成するのが好適である。
【００１９】
前記引っ張り部サポート部材としては、例えば、指が入るサイズのリングを設けたリング状部材を前記引っ張り部に取り付けるようにしてもよい。また、いわゆるボンボンと呼ばれる毛糸の玉などの飾りを前記引っ張り部に取り付けるようにしてもよい。
【００２０】
さらに、前記引っ張り部サポート部材が、前記袋体に着脱自在に取り付けられるように構成するのが好ましい。
【００２１】
前記引っ張り部としては、引き抜き可能な作動ピンであるのが好適である。
【００２２】
また、前記袋体孔部が、前記袋体の底部に開口されてなるように構成するのが好ましい。また、前記袋体孔部のサイズについても特別の限定はなく、例えば、指が入る１ｃｍぐらいの大きさでよい。
【００２３】
前記袋体の材質について特別の限定はないが、例えば、布地、皮革、毛糸などで作製すればよい。環状の紐体についても、一方の肩から他方の腰の部分にかけて斜めに襷掛けされる長さを有すればよいもので、その材質には同様に特別の限定はないが、例えば、布地、皮革、毛糸などで作製すればよい。また、環状の紐体は、取り外し可能に設けても良く、さらにバックルなどを設けて長さ調整可能とするのが好ましい。
【００２４】
前記緊急時用携帯ブザーとしては、緊急時に引っ張り部を引っ張ることで大きな警報音が発生するタイプの市販されているものを使用すればよい。例えば、市販されている緊急時に引っ張り部を引っ張るタイプの防犯ブザー、防犯アラーム、緊急時用呼び出しブザー、緊急時用呼び出しアラームなどは全て使用可能である。
【００２５】
本考案のショルダーを襷掛けすることで、肌身離さずに、緊急時用携帯ブザーを携帯することが可能となる。
【００２６】
さらに、本考案のショルダーには、緊急時用携帯ブザーの他に、携帯電話、免許証、家の鍵、自転車の鍵、薬、などを入れて必要に応じて携帯することも可能である。
【００２７】
また、前記袋体の上端部に、スライドファスナーを設けることで、前記袋体の上端部を閉塞自在にせしめてもよい。
【００２８】
前記袋体や環状の紐体の色や柄などはその日に着る洋服に合わせて自由に変更すればよく、また、アップリケなどを前記袋体の表面に取り付けるようにしてもよい。また、着物の柄などにしてもよい。
【考案の効果】
【００２９】
本考案のＳＯＳショルダーによれば、緊急時用携帯ブザーを肌身離さずに携帯することができ、且ついざという時に引っ張り部をすぐに引っ張ることができるという効果がある。また、肌身離さずに携帯することができるので、緊急時用携帯ブザーの他に必要な物を入れておくことで、忘れ物防止にも役立つという効果もある。
【図面の簡単な説明】
【００３０】
【図１】本考案のＳＯＳショルダーの一つの実施の形態を示す図である。
【図２】引っ張り部サポート部材を示す図である。
【図３】図１のＳＯＳショルダーに緊急時用携帯ブザーを入れて図２の引っ張り部サポート部材を取り付けた状態を示す図である。
【考案を実施するための形態】
【００３１】
以下に本考案の実施の形態を添付図面に基づいて説明するが、本考案の技術思想から逸脱しない限りこれらの実施の形態について種々の変更又は変形が可能なことは言うまでもない。
【００３２】
図１及び図３において、符号１０は本考案に係るＳＯＳショルダーである。
【００３３】
ＳＯＳショルダー１０は、図３に示すような引っ張り部１４（図示例では作動ピン）を引っ張ることにより警報音が発生する緊急時用携帯ブザー１６が収容される袋体１８と、前記袋体１８の上端部に取り付けられ、一方の肩から他方の腰の部分にかけて斜めに襷掛けされる長さを有する環状の紐体２０と、前記袋体１８の一部（図示例では底部）に開口された袋体孔部２２と、を有し、  前記緊急時用携帯ブザー１６の引っ張り部１４が前記袋体孔部２２から突出するように前記緊急時用携帯ブザー１６を前記袋体１８に収容せしめ、前記環状の紐体２０を襷掛けし、緊急時に前記引っ張り部１４を引っ張ることで、警報音が発生するように構成されている。
【００３４】
また、図示例では、図３に示すように、前記緊急時用携帯ブザー１６の引っ張り部１４が前記袋体孔部２２から突出するように前記緊急時用携帯ブザー１６を前記袋体１８に収容せしめ、前記引っ張り部１４に引っ張り部サポート部材２４を取り付けることで、前記引っ張り部１４が引っ張り容易にされている。
【００３５】
引っ張り部サポート部材２４としては、紐部材２６を有するリング状部材とされており、該紐部材２６を前記引っ張り部１４に結わえることで、前記引っ張り部１４に着脱自在に取り付け可能とされている。また、図示は省略するが、引っ張り部サポート部材２４は、前記袋体１８に着脱自在に取り付けられる。
【００３６】
なお、図１及び図３に示すように、前記袋体１８の上端部にはスライドファスナー２８が設けられており、該スライドファスナー２８には、リング状のつまみ部材３０が設けられることで、スライドし易くされている。
【００３７】
図示例では、袋体１８、環状の紐体２０及び引っ張り部サポート部材２４のいずれも毛糸で編んで作製した例を示したが、布地や皮革などで作製しても良いことはもちろんである。
【００３８】
また、袋体１８や環状の紐体２０の色や柄などはその日に着る洋服に合わせて自由に変更すればよく、また、アップリケなどを前記袋体１８の表面に取り付けるようにしてもよい。また、着物の柄などにしてもよい。
【００３９】
このように構成し、本考案のＳＯＳショルダー１０を一方の肩から他方の腰の部分にかけて斜めに襷掛けすることで、緊急時用携帯ブザー１６を肌身離さずに携帯することができ、且ついざという時に引っ張り部１４をすぐに引っ張ることができるのである。
【産業上の利用可能性】
【００４０】
本考案のＳＯＳショルダーは、女性、子供、タクシー運転手などの携帯用の防犯ブザー入れとして、また、電車などの乗り物に乗るときや、治安の悪い国などへ海外旅行に行く際の防犯ブザー入れとしても利用できる。
【００４１】
さらに、病院で患者が誰かの助けを求めるＳＯＳブザー入れや自宅や介護所などで介護を受けている要介護者が誰かの助けを求めるＳＯＳブザー入れとしても利用できる。
【符号の説明】
【００４２】
１０：ＳＯＳショルダー、１４：引っ張り部、１６：緊急時用携帯ブザー、１８：袋体、２０：環状の紐体、２２：袋体孔部、２４：引っ張り部サポート部材、２６：紐部材、２８：スライドファスナー、３０：リング状のつまみ部材。
【図１】
0003152544.tif 000003
【図２】
0003152544.tif 000004
【図３】
0003152544.tif 000005
【手続補正書】
【提出日】平成21年5月29日(2009.5.29)
【手続補正１】
【補正対象書類名】実用新案登録請求の範囲
【補正対象項目名】請求項３
【補正方法】変更
【補正の内容】
【請求項３】
前記引っ張り部サポート部材が、前記袋体に着脱自在に取り付けられてなることを特徴とする請求項２記載のＳＯＳショルダー。